(57)【要約】【課題】  組み合わせのバリエーションが豊富なパイプ保持具を提供すること。【解決手段】  パイプ保持具１は、施工面１００において樹脂パイプ５０を保持するために用いられる。パイプ保持具１は、施工面１００と平行に前後方向Ａへと延在する第１パイプ挿通孔２と、第１パイプ挿通孔２に直交しかつ施工面１００と平行に左右方向へと延在する第２パイプ挿通孔３とを備えている。パイプ保持具１は、別のパイプ保持具１を前後方向Ａ及び左右方向Ｂのそれぞれに連結可能な平行連結手段（前方連結部１１Ａ、左方連結部１１Ｂ、後方連結部１１Ｃ及び右方連結部１１Ｄ）と、別のパイプ保持具１を施工面１００に対して垂直な上下方向Ｃへと連結するための垂直連結手段（上方連結部９及び下方連結部１８）とを備えている。【選択図】  図１
2019086020.tif 000002
【特許請求の範囲】
【請求項１】
施工面においてパイプを保持するために用いられるパイプ保持具であって、前記施工面と平行に前後方向へと延在する第１パイプ挿通孔と、当該第１パイプ挿通孔に直交しかつ前記施工面と平行に左右方向へと延在する第２パイプ挿通孔と、別の前記パイプ保持具を前記前後方向及び前記左右方向のそれぞれに連結可能とする平行連結手段と、別の前記パイプ保持具を前記施工面に対して垂直な上下方向へと連結可能とする垂直連結手段とを備えたパイプ保持具。
【発明の詳細な説明】
【技術分野】
【０００１】
本発明は、施工面においてパイプを保持するために用いられるパイプ保持具に関する。
【背景技術】
【０００２】
特許文献１には、配管の枕台同士を上下方向及び左右方向に連結する技術が開示されている。また、特許文献２には、複数の管支持部材を上下方向及び左右方向に連結する技術が開示されている。
【先行技術文献】
【特許文献】
【０００３】
【特許文献１】特開２００４−１９７０６号公報
【特許文献２】実公昭５９−１１２５７号公報
【発明の概要】
【発明が解決しようとする課題】
【０００４】
特許文献１の技術及び特許文献２の技術とも、枕台又は管支持部材を、配管の軸線方向と交差する上下方向及び左右方向の平面的な組み合わせしかできなかった。したがって、例えば配管を直接的に保持する距離を当該配管の軸線方向へと長く設定したい場合に対応できない等、組み合わせのバリエーションに難があった。
【０００５】
本発明の目的は、組み合わせのバリエーションが豊富なパイプ保持具を提供することにある。
【課題を解決するための手段】
【０００６】
上記の目的を達成するために請求項１の発明は、施工面においてパイプを保持するために用いられるパイプ保持具であって、前記施工面と平行に前後方向へと延在する第１パイプ挿通孔と、当該第１パイプ挿通孔に直交しかつ前記施工面と平行に左右方向へと延在する第２パイプ挿通孔と、別の前記パイプ保持具を前記前後方向及び前記左右方向のそれぞれに連結可能とする平行連結手段と、別の前記パイプ保持具を前記施工面に対して垂直な上下方向へと連結可能とする垂直連結手段とを備えている。
【発明の効果】
【０００７】
上記構成のパイプ保持具によれば、平行連結手段によって、別のパイプ保持具を前後方向及び左右方向のそれぞれに連結可能である。また、垂直連結手段によって、別のパイプ保持具を上下方向に連結可能である。したがって、例えばパイプを直接保持する距離を当該パイプの軸線方向に長く設定したい場合には、平行連結手段によって、別のパイプ保持具をパイプの軸線方向に連結すればよい。このように、本発明のパイプ保持具によれば、立体的な組み合わせが可能となり、組み合わせのバリエーションが豊富となる。
【図面の簡単な説明】
【０００８】
【図１】一実施形態のパイプ保持具の斜視図。
【図２】パイプ保持具の正面図。
【図３】パイプ保持具の背面図。
【図４】パイプ保持具の平面図。
【図５】パイプ保持具の底面図。
【図６】複数のパイプ保持具を組み合わせて用いた一態様を説明する斜視図。
【発明を実施するための形態】
【０００９】
以下、本発明を具体化した一実施形態について図面を参照しつつ説明する。
図１及び図６に示すように、パイプ保持具１は、例えば床下に設けられたコンクリートスラブ等の施工面１００において、給水給湯用の樹脂パイプ５０を保持するために用いられる。パイプ保持具１は、図１に示すように単体で用いることも、図６に示すように複数を組み合わせて用いることも可能である。
【００１０】
図１〜図５に示すように、パイプ保持具１は、合成樹脂により一体成形されている。パイプ保持具１は、正六面体様の外観を有しており、後述する前方連結部１１Ａ及び左方連結部１１Ｂを除いた状態では、縦・横・高さの寸法がほぼ同じに設定されている。なお、パイプ保持具１において施工面１００側の面を底面１ａとし、底面１ａの反対側に位置する面を天面１ｂとし、施工面１００に対して垂直な４つの面を第１側面１ｃ〜第４側面１ｆとする。第２側面１ｄは第１側面１ｃの反対側に位置し、第４側面１ｆは第３側面１ｅの反対側に位置している。
【００１１】
図１〜図３及び図５に示すように、パイプ保持具１において第１側面１ｃと第２側面１ｄとの間には、横断面円形状をなす第１パイプ挿通孔２が、直線状に貫通形成されている。第１パイプ挿通孔２は、施工面１００と平行に前後方向Ａへと延在されている。第３側面１ｅと第４側面１ｆとの間には、横断面円形状をなす第２パイプ挿通孔３が、直線状に貫通形成されている。第２パイプ挿通孔３は、第１パイプ挿通孔２に直交しかつ施工面１００と平行に左右方向Ｂへと延在されている。
【００１２】
第１パイプ挿通孔２及び第２パイプ挿通孔３は、それぞれ軸線方向の全体に渡って、底面１ａ側の四半周部分が底面１ａへと開口されている。したがって、図５に示すように、当該開口は、底面１ａにおいて前後方向Ａ及び左右方向Ｂへそれぞれ延びる十字状をなしている。よって、パイプ保持具１は、天面１ｂを有する天板部４と、天板部４において裏面の四隅から施工面１００側へそれぞれ突出する第１脚部５Ａ〜第４脚部５Ｄとを備えていると把握できる。
【００１３】
第１パイプ挿通孔２及び第２パイプ挿通孔３への樹脂パイプ５０の挿入は、対応する第１パイプ挿通孔２又は第２パイプ挿通孔３の底面１ａへの開口を介して行われる。つまり、当該挿入は、第１脚部５Ａ〜第４脚部５Ｄにおける対応する各脚部５Ａ〜５Ｄ相互の間隙を介して行われ、さらに詳しくは当該間隙を第１脚部５Ａ〜第４脚部５Ｄの弾性変形によって広げつつ行われる。
【００１４】
図１及び図４に示すように、天板部４において第１側面１ｃに位置する部分の中央には、前方連結部１１Ａが突設されている。前方連結部１１Ａは、施工面１００に対して垂直な上下方向Ｃへと延びる円柱状をなしている。天板部４において第３側面１ｅに位置する部分の中央にも、前方連結部１１Ａと同様な左方連結部１１Ｂが突設されている。
【００１５】
天板部４において第２側面１ｄに位置する部分の中央には、溝状をなす後方連結部１１Ｃが上下方向Ｃに延設されている。後方連結部１１Ｃは、別のパイプ保持具１が有する前方連結部１１Ａ及び左方連結部１１Ｂと篏合可能なように、横断面円形状をなしている。後方連結部１１Ｃと、別のパイプ保持具１の前方連結部１１Ａ及び左方連結部１１Ｂとの篏合は、上下方向Ｃへの相対移動による、後方連結部１１Ｃへの前方連結部１１Ａ又は左方連結部１１Ｂの挿入によって行われる。天板部４において第４側面１ｆに位置する部分の中央にも、後方連結部１１Ｃと同様な右方連結部１１Ｄが凹設されている。
【００１６】
図６に示すように、これら前方連結部１１Ａ、左方連結部１１Ｂ、後方連結部１１Ｃ及び右方連結部１１Ｄが、別のパイプ保持具１を前後方向Ａ及び左右方向Ｂのそれぞれに連結可能とする平行連結手段を構成している。
【００１７】
図１〜図４に示すように、天板部４の天面１ｂには、パイプ載置用凹部４ａが形成されている。パイプ載置用凹部４ａは、前後方向Ａ及び左右方向Ｂへそれぞれ延びる十字状をなしている。天板部４において、パイプ載置用凹部４ａの前後方向Ａ及び左右方向Ｂの各端部付近には、それぞれ一対の係合突起９ａが設けられている。特に図２及び図３に示すように、天板部４において、一対の係合突起９ａ及び一対の係合突起９ａ付近の部分が、全体として上方連結部９をなしている。
【００１８】
図１〜図５に示すように、第１脚部５Ａにおいて第１側面１ｃと第３側面１ｅとの交差部分には、天面１ｂから底面１ａ付近にかけて取付用凹部１５が形成されている。取付用凹部１５の内底面には、底面１ａに開口する取付孔１６が貫通形成されている。第２脚部５Ｂ〜第４脚部５Ｄについても第１脚部５Ａと同様に、取付用凹部１５及び取付孔１６が形成されている。
【００１９】
図６に示すように、パイプ保持具１は、第１パイプ挿通孔２又は第２パイプ挿通孔３に樹脂パイプ５０を挿通した状態にて、底面１ａが施工面１００に対して当接される。当該当接状態にて、第１脚部５Ａ〜第４脚部５Ｄの各取付用凹部１５及び各取付孔１６を介して、取付部材としてのビス１０１を施工面１００に打ち込むことで、パイプ保持具１が施工面１００に対して固定される。
【００２０】
図１〜図３及び図５に示すように、第１脚部５Ａの先端と第２脚部５Ｂの先端との間、及び第３脚部５Ｃの先端と第４脚部５Ｄの先端と間には、第１パイプ挿通孔２の底面１ａへの開口をもたらす空間を利用して、それぞれ下方連結部１８が設けられている。第１脚部５Ａの先端と第４脚部５Ｄの先端との間、及び第２脚部５Ｂの先端と第３脚部５Ｃの先端との間にも、第２パイプ挿通孔３の底面１ａへの開口をもたらす空間を利用して、それぞれ下方連結部１８が設けられている。
【００２１】
各下方連結部１８内において、対応する第１脚部５Ａ〜第４脚部５Ｄには、係合溝１８ａがそれぞれ形成されている。各係合溝１８ａは、対応する第１パイプ挿通孔２又は第２パイプ挿通孔３の軸線方向つまり前後方向Ａ又は左右方向Ｂにそれぞれ延在されている。
【００２２】
図６に示すように、パイプ保持具１の上方連結部９は、別のパイプ保持具１が有する下方連結部１８に挿入可能となっている。当該挿入時において、上方連結部９の各係合突起９ａが下方連結部１８の対応する係合溝１８ａにスナップ係合することで、パイプ保持具１に対して別のパイプ保持具１が、上下方向Ｃの上方へと連結固定される。これら上方連結部９及び下方連結部１８が、別のパイプ保持具１を上下方向Ｃへと連結可能とする垂直連結手段を構成している。
【００２３】
なお、図２及び図３に示すように、各下方連結部１８において、係合溝１８ａよりも底面１ａ側の部分は、底面１ａ側が広くなるテーパ状をなしている。したがって、下方連結部１８に別のパイプ保持具１の上方連結部９を挿入する際や、第１パイプ挿通孔２又は第２パイプ挿通孔３に樹脂パイプ５０を挿入する際に、当該テーパ状の部分による案内作用によって、当該挿入作業を行い易くなる。
【００２４】
さて、図６は、複数のパイプ保持具１を組み合わせて用いた一態様を示している。すなわち、パイプ保持具１は、前後方向Ａに３つ連結されてなる列が左右方向Ｂに３つ連結されているとともに、前後方向Ａの一端側の１列及び左右方向Ｂの一端側の１列については、上下方向Ｃの上方にも１つずつ連結されている。
【００２５】
このように複数が立体的に組み合わされたパイプ保持具１は、下段のパイプ保持具１の群においては、左右方向Ｂへと平行に延びる３つの樹脂パイプ５０を、対応する第２パイプ挿通孔３にて挿通保持する。各樹脂パイプ５０は、それぞれ３つのパイプ保持具１によって連続的に保持されるため、当該保持が安定する。
【００２６】
また、上段のパイプ保持具１の群においては、前後方向Ａへと平行に延びる３つの樹脂パイプ５０を、対応する第１パイプ挿通孔２にて挿通保持する。このうち左右方向Ｂの一端側に位置する１つの樹脂パイプ５０においては、３つのパイプ保持具１によって連続的に保持されるため、当該保持が安定する。残りの２つの樹脂パイプ５０においては、直接の保持が１つのパイプ保持具１によるものになっている。しかし、当該２つの樹脂パイプ５０において、パイプ保持具１によって直接保持されていない部分が、通水・通湯時の荷重や通湯時の熱によって下方に撓んだ際には、下段のパイプ保持具１の群のパイプ載置用凹部４ａによって適切な支持を受けることができ、保持の不安定さはない。
【００２７】
以上のように本実施形態においては、パイプ保持具１に対して、別のパイプ保持具１を前後方向Ａ及び左右方向Ｂのそれぞれに連結できる。また、パイプ保持具１に対して、別のパイプ保持具１を上下方向Ｃに連結できる。したがって、例えば前述したように、樹脂パイプ５０を直接的に保持する距離を樹脂パイプ５０の軸線方向に長く設定することが可能となる。このように、パイプ保持具１によれば、立体的な組み合わせが可能となり、組み合わせのバリエーションが豊富となる。
【００２８】
＜変形例＞
なお、本発明は、例えば次の態様でも実施可能である。
○パイプ保持具１において平行連結手段は、パイプ保持具１に一体成形された前方連結部１１Ａ、左方連結部１１Ｂ、後方連結部１１Ｃ及び右方連結部１１Ｄが構成していた。これを変更し、パイプ保持具１とは別体の連結部材によって平行連結手段を構成すること。
【００２９】
○パイプ保持具１において垂直連結手段は、パイプ保持具１に一体成形された上方連結部９及び下方連結部１８が構成していた。これを変更し、パイプ保持具１とは別体の連結部材によって垂直連結手段を構成すること。
【００３０】
○第１パイプ挿通孔２の内径と第２パイプ挿通孔３の内径を異ならせること。このようにすれば、第１パイプ挿通孔２と第２パイプ挿通孔３とで、異なる外径のパイプを保持することができ、さらに組み合わせのバリエーションが豊富になる。
【符号の説明】
【００３１】
１…パイプ保持具、２…第１パイプ挿通孔、３…第２パイプ挿通孔、９…垂直連結手段を構成する上方連結部、１１Ａ…平行連結手段を構成する前方連結部、１１Ｂ…同じく左方連結部、１１Ｃ…同じく後方連結部、１１Ｄ…同じく右方連結部、１８…垂直連結手段を構成する下方連結部、５０…パイプとしての樹脂パイプ、１００…施工面。
【図１】
2019086020.tif 000003
【図２】
2019086020.tif 000004
【図３】
2019086020.tif 000005
【図４】
2019086020.tif 000006
【図５】
2019086020.tif 000007
【図６】
2019086020.tif 000008